(57)【要約】【課題】内部に収容した物品の意匠を見ることができるのみならず、当該物品の意匠をより際立たせたり、当該物品の意匠と相俟ってより見栄えのする意匠を構築したり、当該物品のすぐそばで効果的な広告等を記載したりすることができる袋体を、提供する。【解決手段】袋体１は、一端が開口し他端が閉塞された角筒状の胴部を備え、前記胴部は、透明の前面部１１と、透明の後面部１２と、襠部分をなす不透明の右側部１３と、襠部分をなす不透明の左側部１４とを有している。【選択図】図１
2018002282.tif 000002
【特許請求の範囲】
【請求項１】
一端が開口され他端が閉塞された角筒状の胴部を備えた袋体であって、
前記胴部は、透明の前面部と、透明の後面部と、襠部分をなす不透明の一方側部と、襠部分をなす不透明の他方側部とを有する、
ことを特徴とする袋体。
【請求項２】
前記胴部の前記他端を閉塞する角底部を備え、当該袋体が角底袋をなすことを特徴とする請求項１記載の袋体。
【請求項３】
飲料入り瓶を内部に収容して持ち運ぶのに用いられることを特徴とする請求項１又は２記載の袋体。
【請求項４】
飲料入り瓶又は缶等の物品、水及び氷を内部に入れることで前記物品を冷やすアイスクーラーバッグとして用いられることを特徴とする請求項１乃至３のいずれかに記載の袋体。
【請求項５】
前記胴部の前記一端の開口部を開口可能に閉じる手段を備えたことを特徴とする請求項１乃至４のいずれかに記載の袋体。
【請求項６】
一端に設けられた第１の取り付け部及び他端に設けられた第２の取り付け部が前記胴部の前記開口部付近に取り付けられた第１の提げ手と、一端に設けられた第３の取り付け部及び他端に設けられた第４の取り付け部が前記胴部の前記開口部付近に取り付けられた第２の提げ手とを備え、
前記閉じる手段は、前記第１の提げ手の前記第１の取り付け部及び前記第２の提げ手の前記第３の取り付け部における前記開口部を閉じたときに互いに対向する箇所に設けられ係脱可能に係合する第１の係合部と、前記第１の提げ手の前記第２の取り付け部及び前記第２の提げ手の前記第４の取り付け部における前記開口部を閉じたときに互いに対向する箇所に設けられ係脱可能に係合する第２の係合部とを、有する、
ことを特徴とする請求項５記載の袋体。
【請求項７】
前記第１の取り付け部及び前記第２の取り付け部はそれぞれ、前記第１の提げ手の本体から分岐した２つの分岐部を有し、
前記第３の取り付け部及び前記第４の取り付け部はそれぞれ、前記第２の提げ手の本体から分岐した２つの分岐部を有し、
前記第１の取り付け部の前記２つの分岐部のうちの一方の分岐部に設けられた係合突起が、前記前面部及び前記一方側部の互いに重なった部分を貫通する第１の貫通孔を挿通して、前記第１の取り付け部の前記２つの分岐部のうちの他方の分岐部に設けられた係合受部に係合し、
前記第２の取り付け部の前記２つの分岐部のうちの一方の分岐部に設けられた係合突起が、前記前面部及び前記他方側部の互いに重なった部分を貫通する第２の貫通孔を挿通して、前記第２の取り付け部の前記２つの分岐部のうちの他方の分岐部に設けられた係合受部に係合し、
前記第３の取り付け部の前記２つの分岐部のうちの一方の分岐部に設けられた係合突起が、前記後面部及び前記一方側部の互いに重なった部分を貫通する第３の貫通孔を挿通して、前記第１の取り付け部の前記２つの分岐部のうちの他方の分岐部に設けられた係合受部に係合し、
前記第４の取り付け部の前記２つの分岐部のうちの一方の分岐部に設けられた係合突起が、前記後面部及び前記他方側部の互いに重なった部分を貫通する第４の貫通孔を挿通して、前記第２の取り付け部の前記２つの分岐部のうちの他方の分岐部に設けられた係合受部に係合した、
ことを特徴とする請求項６記載の袋体。
【請求項８】
前記胴部における前記一端の側に取り付けられた紐を備え、前記閉じる手段は前記紐を含むことを特徴とする請求項５記載の袋体。
【請求項９】
前記胴部の前記一端の開口部が閉じるように前記袋体が扁平にされたときに前記胴部における前記開口部側の部分において表裏に貫通する第１及び第２の貫通孔が、前記一端に沿った方向に互いに間隔をあけて設けられ、
第３及び第４の貫通孔を有する連結具を備え、
前記紐は、当該紐の一方の端部側から当該紐の他方の端部側へかけて、前記第３の貫通孔を挿通してから前記第１の貫通孔を前記表裏の一方側から他方側へ挿通した後に、前記第２の貫通孔を前記表裏の前記他方側から前記一方側へ挿通し、更に、前記第４の貫通孔を挿通し、
前記紐の前記一方の端部付近及び前記他方の端部付近にそれぞれ抜け止め部が設けられた、
ことを特徴とする請求項８記載の袋体。
【請求項１０】
前記第３及び第４の貫通孔が１つの貫通孔で兼用されたことを特徴とする請求項９記載の袋体。
【請求項１１】
前記前面部及び前記後面部が、前記一方側部及び前記他方側部よりも前記胴部の前記一端から前記胴部の他端へ向かう方向に延在し、
前記前面部及び前記後面部の前記方向への延在部分には、前記前面部及び前記後面部の互いに重なった当該延在部分を貫通しかつ１本以上の手指の差し入れが可能な１つ以上の貫通孔が形成された、
ことを特徴とする請求項１乃至５のいずれかに記載の袋体。
【発明の詳細な説明】
【技術分野】
【０００１】
本発明は、飲料入り瓶などの物品を収容する袋体に関するものである。
【背景技術】
【０００２】
下記特許文献１には、一端が開口した胴部と前記胴部の他端を閉塞する底部とを有する袋体と、前記胴部における前記一端の側に取り付けられた紐と、を備えた紐付き袋体が開示されている。
【先行技術文献】
【特許文献】
【０００３】
【特許文献１】特開２０１５−２１２１６６号公報
【発明の概要】
【発明が解決しようとする課題】
【０００４】
前述したような袋体において、前記胴部の全体を不透明のシート材で構成するとすれば、当該袋体の内部に収容した物品を見ることができず、前記物品に素晴らしい意匠が施されていても、その意匠を伺い知ることはできない。
【０００５】
一方、前述したような袋体において、前記胴部の全体を透明のシート材で構成するとすれば、内部に収容した物品の全体を見ることができるものの、当該物品をそのまま見るのとほとんど変わらず、面白みに欠ける。
【０００６】
本発明は、このような事情に鑑みてなされたもので、内部に収容した物品の意匠を見ることができるのみならず、当該物品の意匠をより際立たせたり、当該物品の意匠と相俟ってより見栄えのする意匠を構築したり、当該物品のすぐそばで効果的な広告等を記載したりすることができる袋体を、提供することを目的とする。
【課題を解決するための手段】
【０００７】
前記課題を解決するための手段として、以下の各態様を提示する。第１の態様による袋体は、一端が開口され他端が閉塞された角筒状の胴部を備えた袋体であって、前記胴部は、透明の前面部と、透明の後面部と、襠部分をなす不透明の一方側部と、襠部分をなす不透明の他方側部とを有するものである。
【０００８】
この第１の態様によれば、前記前面部及び前記後面部が透明であるので、当該袋体の内部に収容した物品を、前記前面部の側及び前記後面部の側から見ることができる。
【０００９】
そして、前記角筒状の胴部では前記一方側部及び前記他方側部がそれぞれ襠部分をなしているので、角筒状の胴部における襠部分の特性上、前記胴部の前記一端の開口部と閉じると、内部に収容した物品の太さが細い箇所ほど襠部分をなす前記一方側部及び前記他方側部が、前記前面部の側又は前記後面部の側から見て内側へより多く進出することになる。
【００１０】
したがって、前記前面部及び前記後面部が透明である一方で、前記一方側部及び前記他方側部が不透明であることから、前記前面部の側又は前記後面部の側から見て内側へ進出した不透明の前記一方側部及び前記他方側部の内側が、透明の前記前面部又は透明の前記後面部を介して、物品の両側に位置して見えることになる。
【００１１】
このため、不透明の前記一方側部及び前記他方側部の内側の色やデザインを適宜設定することで、当該物品の意匠をより際立たせたり、当該物品の意匠と相俟ってより見栄えのする意匠を構築したりすることができる。また、前記第１の態様によれば、不透明の前記一方側部及び前記他方側部の内側に広告を記載することで、内部に収容した物品のすぐそばで効果的な広告を記載することができる。
【００１２】
このように、前記第１の態様によれば、角筒状の胴部における襠部分の特性を巧みに利用することで、内部に収容した物品の意匠を見ることができるのみならず、当該物品の意匠をより際立たせたり、当該物品の意匠と相俟ってより見栄えのする意匠を構築したり、当該物品のすぐそばで効果的な広告等を記載したりすることができる。
【００１３】
第２の態様による袋体は、前記第１の態様において、前記胴部の前記他端を閉塞する角底部を備え、当該袋体が角底袋をなすものである。
【００１４】
この第２の態様によれば、角底部を備えているので、当該袋体の自立性を高めることができる。もっとも、前記第１の態様では、角底部を有しないガゼット型の袋体としてもよい。
【００１５】
第３の態様による袋体は、前記第１又は第２の態様において、飲料入り瓶を内部に収容して持ち運ぶのに用いられるものである。この第８の態様は、前記第１及び第２の態様による袋体の用途例を挙げたものである。
【００１６】
飲料入り瓶（例えば、ワイン、シャンパン、日本酒、ジュースなどの飲料の入った瓶）は、一般的に、下部の太さが太く上部の太さが細い。したがって、前記第３の態様によれば、飲料入り瓶が内部に収容されるので、内部に収容した物品の上部の太さが細い箇所では当該物品の下部の太さが太い箇所に比べて、襠部分をなす前記一方側部及び前記他方側部が、前記前面部の側又は前記後面部の側から見て内側へより多く進出することになる。
【００１７】
したがって、前記第３の態様によれば、前記前面部の側又は前記後面部の側から見た前記一方側部及び前記他方側部の内部への進出量が上部と下部とで変化するため、内部に収容する物品が寸胴である場合に比べて、当該物品の意匠をより際立たせたり、当該物品の意匠と相俟ってより見栄えのする意匠を構築したりすることができる。
【００１８】
なお、前記第１及び第２の態様では、当該袋体の内部に収容する物品は、飲料入り瓶に限らない。
【００１９】
第４の態様による袋体は、前記第１乃至第３のいずれかの態様において、飲料入り瓶又は缶等の物品、水及び氷を内部に入れることで前記物品を冷やすアイスクーラーバッグとして用いられるものである。この第４の態様は、前記第１乃至第３の態様による袋体の用途例を挙げたものである。
【００２０】
第５の態様による袋体は、前記第１乃至第４のいずれかの態様において、前記胴部の前記一端の開口部を開口可能に閉じる手段を備えたものである。
【００２１】
この第５の態様によれば、前記閉じる手段を備えているので、前記胴部の前記一端の開口部と閉じることによって、前記前面部の側又は前記後面部の側から見た前記一方側部及び前記他方側部の内部への進出を生じさせることができる。
【００２２】
第６の態様による袋体は、前記第５の態様において、一端に設けられた第１の取り付け部及び他端に設けられた第２の取り付け部が前記胴部の前記開口部付近に取り付けられた第１の提げ手と、一端に設けられた第３の取り付け部及び他端に設けられた第４の取り付け部が前記胴部の前記開口部付近に取り付けられた第２の提げ手とを備え、前記閉じる手段は、前記第１の提げ手の前記第１の取り付け部及び前記第２の提げ手の前記第３の取り付け部における前記開口部を閉じたときに互いに対向する箇所に設けられ係脱可能に係合する第１の係合部と、前記第１の提げ手の前記第２の取り付け部及び前記第２の提げ手の前記第４の取り付け部における前記開口部を閉じたときに互いに対向する箇所に設けられ係脱可能に係合する第２の係合部とを、有するものである。
【００２３】
この第６の態様は、提げ手を用いた前記閉じる手段の例を挙げたものである。
【００２４】
第７の態様による袋体は、前記第６の態様において、前記第１の取り付け部及び前記第２の取り付け部はそれぞれ、前記第１の提げ手の本体から分岐した２つの分岐部を有し、前記第３の取り付け部及び前記第４の取り付け部はそれぞれ、前記第２の提げ手の本体から分岐した２つの分岐部を有し、前記第１の取り付け部の前記２つの分岐部のうちの一方の分岐部に設けられた係合突起が、前記前面部及び前記一方側部の互いに重なった部分を貫通する第１の貫通孔を挿通して、前記第１の取り付け部の前記２つの分岐部のうちの他方の分岐部に設けられた係合受部に係合し、前記第２の取り付け部の前記２つの分岐部のうちの一方の分岐部に設けられた係合突起が、前記前面部及び前記他方側部の互いに重なった部分を貫通する第２の貫通孔を挿通して、前記第２の取り付け部の前記２つの分岐部のうちの他方の分岐部に設けられた係合受部に係合し、前記第３の取り付け部の前記２つの分岐部のうちの一方の分岐部に設けられた係合突起が、前記後面部及び前記一方側部の互いに重なった部分を貫通する第３の貫通孔を挿通して、前記第１の取り付け部の前記２つの分岐部のうちの他方の分岐部に設けられた係合受部に係合し、前記第４の取り付け部の前記２つの分岐部のうちの一方の分岐部に設けられた係合突起が、前記後面部及び前記他方側部の互いに重なった部分を貫通する第４の貫通孔を挿通して、前記第２の取り付け部の前記２つの分岐部のうちの他方の分岐部に設けられた係合受部に係合したものである。
【００２５】
この第７の態様は、前記第１及び第２の提げ手の前記胴部への取り付け構造の具体例を挙げたものである。
【００２６】
第８の態様による袋体は、前記第５の態様において、前記胴部における前記一端の側に取り付けられた紐を備え、前記閉じる手段は前記紐を含むものである。
【００２７】
この第８の態様は、紐を用いた前記閉じる手段の例を挙げたものである。この第８の態様によれば、前記紐を備えているので、持ち運び等に便利となる。
【００２８】
第９の態様による袋体は、前記第８の態様において、前記胴部の前記一端の開口部が閉じるように前記袋体が扁平にされたときに前記胴部における前記開口部側の部分において表裏に貫通する第１及び第２の貫通孔が、前記一端に沿った方向に互いに間隔をあけて設けられ、第３及び第４の貫通孔を有する連結具を備え、前記紐は、当該紐の一方の端部側から当該紐の他方の端部側へかけて、前記第３の貫通孔を挿通してから前記第１の貫通孔を前記表裏の一方側から他方側へ挿通した後に、前記第２の貫通孔を前記表裏の前記他方側から前記一方側へ挿通し、更に、前記第４の貫通孔を挿通し、前記紐の前記一方の端部付近及び前記他方の端部付近にそれぞれ抜け止め部が設けられたものである。
【００２９】
この第９の態様によれば、前記連結具が用いられ、前記紐が前記第１乃至第４の貫通孔に対して前述したように挿通され、前記紐の一方端部付近及び他方端部付近にそれぞれ抜け止め部が設けられているので、使用者が前記紐を持って持ち上げたり肩に掛けたりすることによって、特別な操作を要することなく、胴部の開口部が閉じられる。したがって、この第９の態様によれば、持ち運ぶ際に胴部の開口部を簡単に閉じることができる。そして、この第９の態様では、連結具を要するものの、紐が１本だけで済むとともに、袋体には前記第１及び第２の貫通孔以外の特別な構造を採用せずに済むため、構造が簡単で安価となる。
【００３０】
また、前記第９の態様によれば、前記紐の一方端部が前記連結具の前記第４の貫通孔に対して抜け止めされる一方で、前記紐の一方端部側は前記第４の貫通孔に対して繰り出し可能であるとともに、前記紐の他方端部が前記連結具の前記第３の貫通孔に対して抜け止めされる一方で、前記紐の他方端部側は前記第３の貫通孔に対して繰り出し可能である。前記第９の態様では、このような自由度を有しつつ前記紐の一方端部と他方端部とが連結されるので、例えば、前記紐を１重状態にして肩に掛けたり、前記紐を２重状態にして手に提げたりするなど、多彩な使用方法が可能となる。
【００３１】
第１０の態様による袋体は、前記第９の態様において、前記第３及び第４の貫通孔が１つの貫通孔で兼用されたものである。
【００３２】
この第１０の態様によれば、前記第３及び第４の貫通孔が１つの貫通孔で兼用されているので、連結具に１つの貫通孔を形成するだけで済み、前記第３及び第４の貫通孔をそれぞれ別の貫通孔として合計２個の貫通孔を連結具に形成する場合に比べて、連結具の構成が簡単となる。もっとも、前記第９の態様では、前記第３及び第４の貫通孔をそれぞれ別の貫通孔として合計２個の貫通孔を連結具に形成してもよい。
【００３３】
第１１の態様による袋体は、前記第１乃至第５のいずれかの態様において、前記前面部及び前記後面部が、前記一方側部及び前記他方側部よりも前記胴部の前記一端から前記胴部の他端へ向かう方向に延在し、前記前面部及び前記後面部の前記方向への延在部分には、前記前面部及び前記後面部の互いに重なった当該延在部分を貫通しかつ１本以上の手指の差し入れが可能な１つ以上の貫通孔が形成されたものである。
【００３４】
この第１１の態様によれば、前記１つ以上の貫通孔に手指を差し入れることができるので、持ち運び等に便利となる。また、前記１つ以上の貫通孔に手指を差し入れて持つだけで、持ち運ぶ際に胴部の開口部を簡単に閉じることができる。
【発明の効果】
【００３５】
本発明によれば、内部に収容した物品の意匠を見ることができるのみならず、当該物品の意匠をより際立たせたり、当該物品の意匠と相俟ってより見栄えのする意匠を構築したり、当該物品のすぐそばで効果的な広告等を記載したりすることができる袋体を、提供することができる。
【図面の簡単な説明】
【００３６】
【図１】本発明の第１の実施の形態による袋体の、開口部が中程度開口した状態を示す概略斜視図である。
【図２】図１中の連結具を示す正面図及び断面図である。
【図３】図１に示す袋体の、開口部が閉じた状態の一例を示す斜め上方かつ前面部の側から見た一部概略斜視図である。
【図４】図１に示す袋体の、図３と同じ状態を示す斜め上方かつ前面部の側から見た全体概略斜視図である。
【図５】図１に示す袋体の、図３と同じ状態を示す斜め上方かつ左側部の側から見た全体概略斜視図である。
【図６】図１に示す袋体の、開口部が閉じた状態の他の例を示す斜め上方かつ前面部の側から見た一部概略斜視図である。
【図７】図１に示す袋体を構成する角底袋の、開口部が完全に開口した状態を示す概略斜視図である。
【図８】図１に示す袋体を構成する角底袋の扁平状態を示す概略正面図及び概略右側面図である。
【図９】図１に示す袋体を構成する角底袋の概略分解斜視図である。
【図１０】連結具の他の例を示す正面図、断面図及び連結状態図である。
【図１１】本発明の第２の実施の形態による袋体の、開口部が閉じた状態を示す斜め上方かつ前面部の側から見た一部概略斜視図である。
【図１２】図１１に示す袋体の、開口部が閉じた状態を示す斜め上方かつ左側部の側から見た一部概略斜視図である。
【図１３】図１１中のＣ−Ｃ’線に沿った概略拡大断面図である。
【図１４】図１１中のＤ−Ｄ’線に沿った概略拡大断面図である。
【図１５】図１１に示す袋体の、開口部が中程度開口した状態を示す斜め上方かつ左側部の側から見た一部概略斜視図である。
【図１６】図１１に示す袋体の、開口部が中程度開口した状態を示す所定断面に沿った一部概略拡大断面図である。
【図１７】図１１に示す袋体の、開口部が中程度開口した状態を示す他の所定断面に沿った一部概略拡大断面図である。
【図１８】本発明の第３の実施の形態による袋体の、開口部が中程度開口した状態を示す概略斜視図である。
【図１９】図１８に示す袋体の、開口部が閉じた状態を示す斜め上方かつ左側部の側から見た全体概略斜視図である。
【発明を実施するための形態】
【００３７】
以下、本発明による袋体について、図面を参照して説明する。
【００３８】
［第１の実施の形態］
【００３９】
図１は、発明の第１の実施の形態による袋体１の、開口部２ａが中程度開口した状態を示す概略斜視図である。図２（ａ）は、図１中の連結具４を示す正面図である。図２（ｂ）は、図２（ａ）中のＡ−Ａ’線に沿った断面図である。図３は、図１に示す袋体１の、開口部２ａが閉じた状態の一例を示す斜め上方かつ前面部１１の側から見た一部概略斜視図である。図４は、図３と同じ状態を示す斜め上方かつ前面部１１の側から見た全体概略斜視図である。図５は、図１に示す袋体１の、図３と同じ状態を示す斜め上方かつ左側部１４の側から見た全体概略斜視図である。図６は、図１に示す袋体１の、開口部２ａが閉じた状態の他の例を示す斜め上方かつ前面部１１の側から見た一部概略斜視図である。図７は、図１に示す袋体１を構成する角底袋２の、開口部２ａを完全に開口した状態を示す概略斜視図である。図８（ａ）は、図１に示す袋体１を構成する角底袋２の扁平状態を示す概略正面図である。図８（ａ）において、ヒートシールされている領域Ｒ１，Ｒ２，Ｒ３にはハッチングを付している。図８（ｂ）は、図１に示す袋体１を構成する角底袋２の扁平状態を示す概略右側面図である。ただし、図８（ｂ）では、襠部分を構成する右側部１３の図示は省略している。図９は、図１に示す袋体１を構成する角底袋２の概略分解斜視図である。
【００４０】
なお、図面表記の便宜上、図１、図３、図６、図７、図８（ａ）、図９では、前面部１１が不透明であるものとして記載しているが、前面部１１は透明であり、前面部の奥側が透けて見える。図４では、前面部１１を透明であるとして記載され、前面部１１の奥側が透けて見えている。理解を容易にするため、図４では、前面部１１の奥側に透けて見えている不透明の右側部１３及び左側部１４には、ハッチングを付している。
【００４１】
以下の説明では、図１中の紙面手前側を前側、図１中の紙面奥側を後側として説明するが、その逆でもよい。「前」及び「後」は、いずれの側が「前」で「いずれの側が「後」であるかは固定的に定まるものではなく、「前」をいずれか一方の側とした場合に、「後」はその反対側を意味するものである。
【００４２】
本実施の形態による袋体１は、一端が開口し他端が閉塞された角筒状の胴部を備え、前記胴部は、透明の前面部１１と、透明の後面部１２と、襠部分をなす不透明の右側部１３と、襠部分をなす不透明の左側部１４とを有している。前記胴部の上端に開口部２ａを有している。本実施の形態による袋体１は、前記胴部の前記他端を閉塞する角底部１５を有しており、前記胴部及び角底部１５によって角底袋２が構成されている。
【００４３】
本実施の形態による袋体１は、角底袋２と、角底袋２に取り付けられた紐３と、連結具４とを備えている。もっとも、本発明では、角底袋２に代えて角底部１５を有しないガゼット型の袋体を用いてもよい。また、本発明では、袋体に必ずしも紐３を取り付ける必要はない。
【００４４】
本実施の形態では、前面部１１、後面部１２、右側部１３、左側部１４及び角底部１５は、図９に示すようにそれぞれ別々のシートで構成され、これらの５枚のシートがヒートシールされることにより角底袋２が構成されている。これらのシートの材質の例については、後述する。
【００４５】
角底袋２の右側部１３に折り線１３ａ〜１３ｄが形成され、角底袋２の左側部１４に折り線１４ａ〜１４ｄが形成され、角底袋２の角底部１５に折り線１５ａが形成され、これにより、角底袋２は、図８に示すように扁平状態に折り畳むことができるようになっている。この扁平状態では、開口部２ａは閉じられている。
【００４６】
この扁平状態において、前面部１１と後面部１２とがちょうど重なっており、前面部１１と後面部１２との間に、折り線１３ａ〜１３ｄで折り畳まれた右側部１３（図９参照）、折り線１４ａ〜１４ｄで折り畳まれた左側部１４（図９参照）及び折り線１５ａで折り畳まれた角底部１５が図８に示すように配置されている。そして、前面部１１及び後面部１２の右辺に沿った領域Ｒ１において、前面部１１と右側部１３との間、後面部１２と右側部１３との間、及び、角底部１５と右側部１３との間がヒートシールされている。また、前面部１１及び後面部１２の左辺に沿った領域Ｒ２において、前面部１１と左側部１４との間、後面部１２と左側部１４との間、及び、角底部１５と左側部１４との間がヒートシールされている。さらに、前面部１１及び後面部１２の下辺に沿った領域Ｒ３において、前面部１１と角底部１５との間、及び、後面部１２と角底部１５との間がヒートシールされている。
【００４７】
図７において、２１は領域Ｒ１における前面部１１と右側部１３との間のヒートシール部、２２は領域Ｒ１における後面部１２と右側部１３との間のヒートシール部、２３は領域Ｒ１における角底部１５と右側部１３との間のヒートシール部、２４は領域Ｒ２における前面部１１と左側部１４との間のヒートシール部、２５は領域Ｒ２における後面部１２と左側部１４との間のヒートシール部、２６は領域Ｒ２における角底部１５と左側部１４との間のヒートシール部、２７は領域Ｒ３における前面部１１と角底部１５との間のヒートシール部、２８は領域Ｒ３における後面部１２と角底部１５との間のヒートシール部を、それぞれ示している。
【００４８】
開口部２ａが閉じるように角底袋２が図８に示すように扁平にされたときに角底袋２における開口部２ａ側の部分において表裏に（前後に）貫通する第１の貫通孔１６及び第２の貫通孔１７が、前記上端に沿った方向（図８中の左右方向）に互いに間隔をあけて設けられている。本実施の形態では、第１の貫通孔１６は、角底袋２が図８に示すように扁平にされている状態において、折り畳まれた襠部分をなす右側部１３を貫く位置に配置され、前面部１１に形成された孔１６ａ、右側部１３に形成された孔１６ｂ，１６ｃ及び後面部１２に形成された孔１６ｄが、前側から後側へ順次重なったものとして構成されている。また、本実施の形態では、第２の貫通孔１７は、角底袋２が図８に示すように扁平にされている状態において、折り畳まれた襠部分をなす左側部１４を貫く位置に配置され、前面部１１に形成された孔１７ａ、左側部１４に形成された孔１７ｂ，１７ｃ及び後面部１２に形成された孔１７ｄが、前側から後側へ順次重なったものとして構成されている。もっとも、第１及び第２の貫通孔１６，１７は、折り畳まれた裾部分をなす両側部１３，１４を避けるように、両側部１３，１４を貫かない位置に配置してもよい。
【００４９】
本実施の形態では、連結具４は、図２に示すように、長円形の板状部材で構成され、第３の貫通孔３３及び第４の貫通孔３４を有している。連結具４の材料としては、例えば、合成樹脂や金属などを用いることができる。
【００５０】
本実施の形態では、紐３は、紐３の一方の端部側から紐３の他方の端部側へかけて、連結具４の第３の貫通孔３３を挿通してから角底袋２の第１の貫通孔１６を前面部１１の側から後面部１２の側へ挿通した後に、第２の貫通孔１７を後面部１２の側から前面部１１の側へ挿通し、更に、連結具４の第４の貫通孔３４を挿通している。紐３の前記一方の端部付近には抜け止め部１８が設けられ、紐３の前記他方の端部付近には抜け止め部１９が設けられている。
【００５１】
本実施の形態では、具体的には、図１に示すように、紐３の一方の端部側から紐３の他方の端部側へかけて、連結具４の第３の貫通孔３３を挿通してから前面部１１の孔１６ａ→右側部１３の孔１６ｂ→右側部１３の孔１６ｃ→後面部１２の孔１６ｄ→後面部１２の孔１７ｄ→左側部１４の孔１７ｃ→左側部１４の孔１７ｂ→前面部１１の孔１７ａ→連結具４の第４の貫通孔３４の経路で、これらの孔を順次挿通している。紐３の前記一方の端部付近の抜け止め部１８は、連結具４の第４の貫通孔３４に対する前面部１１とは反対側に位置しており、紐３の前記一方端部が第４の貫通孔３４から前面部１１側へ抜けるのを阻止する。紐３の前記他方の端部付近の抜け止め部１９は、連結具４の第３の貫通孔３３に対する前面部１１とは反対側に位置しており、紐３の前記他方端部が第３の貫通孔３３から前面部１１側へ抜けるのを阻止する。
【００５２】
本実施の形態では、抜け止め部１８，１９として、例えば特許第２９７９１２０号公報や特許第２９７９１２１号公報などに開示されているようなバー状ストッパが用いられている。両端部付近にバー状ストッパが予め設けられた紐３を第１及び第２の貫通孔１６，１７や第３及び第４の貫通孔３３，３４に挿通する際には、バー状ストッパを傾けて当該貫通孔１６，１７，３３，３４を通すことができ、一旦貫通孔１６，１７，３３，３４を通した後は、バー状ストッパの幅が貫通孔１６，１７，３３，３４の直径よりも大きいので、バー状ストッパが貫通孔１６，１７を抜けてしまうことがない。もっとも、抜け止め部１８，１９は、このようなバー状ストッパに限らず、例えば、紐３の結び目などでもよい。
【００５３】
なお、紐３の材料は何ら限定されるものではなく、また、紐３は編み紐でもよいしその他の紐でもよい。さらに、紐３の断面形状も必ずしも円形等に限らず、紐３は、例えばリボン状の紐でもよい。
【００５４】
本実施の形態によれば、連結具４が用いられ、紐３が第１乃至第４の貫通孔１６，１７，３３，３４に対して前述したように挿通され、紐３の一方端部付近及び他方端部付近にそれぞれ抜け止め部１８，１９が設けられているので、角底袋２内に任意の物品（図３及び図４に示す例では、ワインボトル等の飲料入り瓶１００）を収容して持ち運ぶ際に、当該物品を入れて使用者が紐３を持って持ち上げたり肩に掛けたりすることによって、特別な操作を要することなく、図３乃至図６に示すように、角底袋２の開口部２ａが閉じられる。
【００５５】
図３乃至図５は、紐３を２重状態にして手に提げる状態を示している。図６は、紐３を１重状態にして肩に掛ける状態を示している。本実施の形態では、紐３の長さは、図６に示す状態で肩に掛けるのに適した長さに設定されている。図６に示す１重状態で手に提げるには紐３が長過ぎるが、図３乃至図５に示す２重状態の紐３の長さは手に提げるのに適した長さとなる。
【００５６】
本実施の形態によれば、このようにして角底袋２の開口部２ａが閉じられるので、袋体１を持ち運ぶ際に、角底袋２の開口部２ａを簡単に閉じることができる。また、本実施の形態によれば、紐３を備えているので、持ち運び等に便利となる。
【００５７】
そして、本実施の形態では、連結具４を要するものの、紐３が１本だけで済むとともに、角底袋２には第１及び第２の貫通孔１６，１７以外の特別な構造を採用せずに済むため、構造が簡単で安価となる。
【００５８】
また、本実施の形態によれば、角底袋２の側部１３，１４の襠部分にも紐３が挿通されるので、角底袋２の開口部２ａをより確実に閉じることができる。
【００５９】
さらに、本実施の形態によれば、紐３の一方端部が連結具４の第４の貫通孔３４に対して抜け止めされる一方で、紐３の一方端部側は第４の貫通孔３４に対して繰り出し可能であるとともに、紐３の他方端部が連結具４の第３の貫通孔３３に対して抜け止めされる一方で、紐の他方端部側は第３の貫通孔３３に対して繰り出し可能である。本実施の形態では、このような自由度を有しつつ紐３の一方端部と他方端部とが連結されるので、例えば、図６に示すように紐３を１重状態にして肩に掛けたり、図３乃至図５に示すように紐３を２重状態にして手に提げたりすることができるなど、多彩な使用方法が可能となる。
【００６０】
本発明では、前面部１１及び後面部１２が透明（無色透明に限らず、必要に応じて有色透明でもよい。）であり、襠部分をなす右側部１３及び左側部１４が不透明であれば、それらの材質や角底部１５の材質は何ら限定されない。しかしながら、本実施の形態による袋体１は、ヒートシール性を考慮する他に、ワインボトル等の飲料入り瓶１００などの物品を収容して持ち運ぶだけでなく、ワインボトル等の飲料入り瓶１００又は缶等の物品、水及び氷を内部に入れることで前記物品を冷やすアイスクーラーバッグとして用いることができるよう、耐水性を持つように、各部の材質が選定されている。その材質の例を以下に挙げる。
【００６１】
例えば、前面部１１及び後面部１２は、以下に説明する第１乃至第６の透明シートで構成することができる。
【００６２】
第１の透明シートは、角底袋２の外側から順に積層した、ポリエステルフィルム、ポリエチレン層（溶融したポリエチレンによる接着層に相当）及びポリエチレンフィルムで構成した透明シートである。内側のポリエチレンが、耐水性を有するシーラント樹脂フィルムに相当している。ここで、耐水性を有するシーラント樹脂フィルムとして、前記ポリエチレンフィルムに代えて、ＣＰ（ポリプロピレンを原料とした無延伸フィルム）を用いてもよい。
【００６３】
第２の透明シートは、角底袋２の外側から順に積層した、ポリエステルフィルム、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００６４】
第３の透明シートは、角底袋２の外側から順に積層した、ナイロンフィルム、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００６５】
第４の透明シートは、角底袋２の外側から順に積層した、ナイロンフィルム、ポリエチレン層（溶融したポリエチレンによる接着層に相当）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００６６】
第５の透明シートは、角底袋２の外側から順に積層した、ＯＰ（ポリプロピレンを原料とする二軸延伸フィルム（ＯＰＰフィルム））、接着剤（ドライラミネート）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００６７】
第６の透明シートは、角底袋２の外側から順に積層した、ＯＰ、ポリエチレン層（溶融したポリエチレンによる接着層に相当）及びポリエチレンフィルム（耐水性を有するシーラント樹脂フィルムに相当）で構成した透明シートである。ここで、耐水性を有するシーラント樹脂フィルムとして、前記ポリエチレンフィルムに代えて、ＣＰを用いてもよい。
【００６８】
例えば、右側部１３及び左側部１４は、以下に説明する第１乃至第６の不透明シートで構成することができる。
【００６９】
第１の不透明シートは、角底袋２の外側から順に積層された、樹脂フィルム、ポリエチレン、紙、ポリエチレン及びシーラント樹脂フィルムで構成されたシートである。前記樹脂フィルムとしては、耐水性を有するフィルムが用いられ、具体的には、例えば、ポリエステル、ポリプロピレン又はナイロンのフィルムが用いられる。前記ポリエチレンは、例えば、押出ラミネート樹脂として用いられる。前記紙としては、例えば、クラフト紙又はコート紙などの植物繊維を有する紙や合成紙などが用いられる。シーラント樹脂フィルムとしては、耐水性及び熱溶着性（ヒートシール性）を有する樹脂フィルムが用いられ、具体的には、例えば、ポリエチレン又はポリプロピレンなどのフィルムが用いられる。
【００７０】
第２の不透明シートは、角底袋２の外側から順に積層された、樹脂フィルム、接着剤、紙、接着剤及びシーラント樹脂フィルムで構成されたシートである。前記樹脂フィルムとしては、耐水性を有するフィルムが用いられ、例えば、ポリエステル、ポリプロピレン又はナイロンのフィルムが用いられる。前記接着剤としては、例えば、ノンソルベントラミネートの接着剤が用いられる。前記紙としては、例えば、クラフト紙又はコート紙などの植物繊維を有する紙や合成紙などが用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。
【００７１】
第３の不透明シートは、角底袋２の外側から順に積層された、ワニス、植物繊維を有する紙、接着剤及びシーラント樹脂フィルムで構成されたシートである。前記ワニスとしては、撥水性を有することで耐水性を有するものが用いられ、例えば、印刷により形成される。前記紙としては、例えば、クラフト紙又はコート紙などの植物繊維を有する紙や合成紙などが用いられる。前記接着剤としては、例えば、ノンソルベントラミネートの接着剤が用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。
【００７２】
第４の不透明シートは、角底袋２の外側から順に積層された、耐水紙、接着剤及びシーラント樹脂フィルムで構成されたシートである。前記耐水紙としては、例えば、公知の耐水紙が用いられる。前記耐水紙は植物繊維を有する紙を含んでもよい。前記接着剤としては、例えば、ノンソルベントラミネートの接着剤が用いられる。前記シーラント樹脂フィルムとしては、耐水性及び熱溶着性を有する樹脂フィルムが用いられ、具体的には、例えば、ポリエチレン又はポリプロピレンなどのフィルムが用いられる。あるいは、前記シーラント樹脂フィルムとして、耐水性及び熱溶着性を有する生分解樹脂フィルムを用いてもよい。
【００７３】
第５の不透明シートは、角底袋２の外側から順に積層された、生分解樹脂フィルム、接着剤、紙、接着剤及び生分解樹脂フィルムで構成されたシートである。前記生分解樹脂フィルムとしては、耐水性を有する公知の生分解樹脂フィルムが用いられる。前記接着剤としては、例えば、ノンソルベントラミネートの接着剤が用いられる。前記紙としては、例えば、クラフト紙又はコート紙などの植物繊維を有する紙や合成紙などが用いられる。前記生分解樹脂フィルムとしては、耐水性及び熱溶着性を有する公知の生分解樹脂フィルムが用いられる。
【００７４】
第６の不透明シートは、前記第１乃至第６のいずれかの透明シートに印刷等を施すことで不透明にしたシートである。この場合、右側部１３及び左側部１４のベースとなる透明シートとして、前面部１１及び後面部１２と同じ透明シートを用いてもよく、その場合には、印刷等の有無によって透明・不透明を設定することができる。
【００７５】
角底部１５は、透明及び不透明のいずれでもよく、例えば、前記第１乃至第６のいずれかの透明シートで構成してもよいし、前記第１乃至第６のいずれかの不透明シートで構成してもよい。
【００７６】
本実施の形態によれば、前面部１１及び後面部１２が透明であるので、図４に示すように、袋体１の内部に収容した物品１００を、前面部１１の側及び後面部１２の側から見ることができる。
【００７７】
そして、角筒状の胴部では右側部１３及び左側部１４がそれぞれ襠部分をなしているので、角筒状の胴部における襠部分の特性上、前記胴部の一端の開口部２ａと閉じると、図４に示すように、内部に収容した物品１００の太さが細い箇所ほど襠部分をなす右側部１３及び左側部１４が、前面部１１の側又は後面部１２の側から見て内側へより多く進出することになる。
【００７８】
したがって、本実施の形態によれば、前面部１１及び後面部１２が透明である一方で、右側部１３及び左側部１４が不透明であることから、図４に示すように、前面部１１の側又は後面部１２の側から見て内側へ進出した不透明の右側部１３及び左側部１４の内側が、透明の前面部１１又は透明の後面部１２を介して、物品１００の両側に位置して見えることになる。
【００７９】
このため、不透明の右側部１３及び左側部１４の内側の色やデザインを適宜設定することで、当該物品１００の意匠をより際立たせたり、当該物品１００の意匠と相俟ってより見栄えのする意匠を構築したりすることができる。また、本実施の形態によれば、不透明の右側部１３及び左側部１４の内側に広告を記載することで、内部に収容した物品１００のすぐそばで効果的な広告を記載することができる。
【００８０】
このように、本実施の形態によれば、角筒状の胴部における襠部分の特性を巧みに利用することで、内部に収容した物品１００の意匠を見ることができるのみならず、当該物品１００の意匠をより際立たせたり、当該物品１００の意匠と相俟ってより見栄えのする意匠を構築したり、当該物品１００のすぐそばで効果的な広告等を記載したりすることができる。
【００８１】
飲料入り瓶１００（例えば、ワイン、シャンパン、日本酒、ジュースなどの飲料の入った瓶）は、一般的に、図４に示すように、下部の太さが太く上部の太さが細い。したがって、本実施の形態によれば、飲料入り瓶１００が内部に収容されるので、内部に収容した物品１００の上部の太さが細い箇所では当該物品１００の下部の太さが太い箇所に比べて、襠部分をなす右側部１３及び左側部１４が、前面部１１の側又は後面部１２の側から見て内側へより多く進出することになる。
【００８２】
したがって、本実施の形態のように飲料入り瓶１００の持ち運びに用いれば、前面部１１の側又は後面部１２の側から見た右側部１３及び左側部１４の内部への進出量が上部と下部とで変化するため、内部に収容する物品１００が寸胴である場合に比べて、当該物品１００の意匠をより際立たせたり、当該物品１００の意匠と相俟ってより見栄えのする意匠を構築したりすることができる。もっとも、本発明では、袋体１の内部に収容する物品は、飲料入り瓶に限らない。
【００８３】
また、本実施の形態による袋体１は、飲料入り瓶又は缶等の物品、水及び氷を内部に入れることで前記物品を冷やすアイスクーラーバッグとしても用いることができる。もっとも、本発明では、必ずしもアイスクーラーバッグとしても用いることができなくてもよい。
【００８４】
先の説明からわかるように、本実施の形態では、紐３が、角底袋２の開口部２ａを開口可能に閉じる手段を構成している。本実施の形態では、紐３により開口部２ａを閉じることによって、前面部１１の側又は後面部１２の側から見た右側部１３及び左側部１４の内部への進出を生じさせることができる。
【００８５】
本発明では、本実施の形態による袋体１において、連結具４に代えて、図１０に示す連結具１０１を用いてもよい。図１０（ａ）は、連結具１０１を示す正面図である。図１０（ｂ）は、図１０（ａ）中のＢ−Ｂ’線に沿った断面図である。図１０（ｃ）は、連結具１０１による紐３の両端間の連結状態を示す正面図である。
【００８６】
連結具１０１が連結具４と異なる所は、連結具１０１では、連結具４における第３の貫通孔３３及び第４の貫通孔３４が１つの貫通孔１０２で兼用され、連結具１０１がリング状部材となっている点である。連結具１０１を用いても連結具４を用いる場合と同様の利点が得られる他、連結具１０１には貫通孔１０２を１つ形成するだけで済み、連結具４のように第３及び第４の貫通孔３３，３４をそれぞれ別の貫通孔として合計２個の貫通孔を連結具４に形成する場合に比べて、連結具１０１の構成が簡単となる。また、連結具１０１はリング状部材で構成されているので、連結具１０１の構造がより簡単で安価となる。
【００８７】
［第２の実施の形態］
【００８８】
図１１は、本発明の第２の実施の形態による袋体４１の、開口部２ａが閉じた状態を示す斜め上方かつ前面部１１の側から見た一部概略斜視図であり、図３に対応している。図１２は、図１１に示す袋体４１の、開口部２ａが閉じた状態を示す斜め上方かつ左側部１４の側から見た一部概略斜視図である。図１３は、図１１中のＣ−Ｃ’線に沿った概略拡大断面図である。図１４は、図１１中のＤ−Ｄ’線に沿った概略拡大断面図である。図１５は、図１１に示す袋体４１の、開口部２ａが中程度開口した状態を示す斜め上方かつ左側部１４の側から見た一部概略斜視図であり、図１２に対応している。図１６は、図１１に示す袋体４１の、開口部２ａが中程度開口した状態を示す所定断面（図１１中のＣ−Ｃ’に沿った断面に対応する断面）に沿った一部概略拡大断面図であり、図１３に対応している。図１７は、図１１に示す袋体４１の、開口部２ａが中程度開口した状態を示す他の所定断面（図１１中のＤ−Ｄ’に沿った断面に対応する断面）に沿った一部概略拡大断面図であり、図１４に対応している。
【００８９】
図１１乃至図１７において、図１乃至図１０中の要素と同一又は対応する要素には同一符号を付し、その重複する説明は省略する。
【００９０】
本実施の形態による袋体４１が前記第１の実施の形態による袋体１と異なる所は、主に、紐３及び連結具４に代えて、第１の提げ手５１及び第２の提げ手７１が角底袋２に取り付けられている点である。本実施の形態による袋体４１では、紐３を挿通するための貫通孔１６，１７は形成されていない。
【００９１】
第１の提げ手５１は、把持部となる本体５２と、本体５２の一端に設けられた第１の取り付け部５３と、本体５２の他端に設けられた第２の取り付け部５４とを有する。第１の取り付け部５３及び第２の取り付け部５４は、前記胴部の開口部２ａ付近に取り付けられている。第１の取り付け部５３は、本体５２から分岐した２つの分岐部５３ａ，５３ｂを有している。第２の取り付け部５４は、本体５２から分岐した２つの分岐部５４ａ，５４ｂを有している。
【００９２】
第１の取り付け部５３の分岐部５３ａに設けられた係合突起５５が、前面部１１及び左側部１４の互いに重なった部分を貫通する第１の貫通孔５６を挿通して、第１の取り付け部５３の分岐部５３ｂに設けられた係合受部（本実施の形態では、係合孔）５７に係合している。第２の取り付け部５４の分岐部５４ａに設けられた係合突起５８が、前面部１１及び右側部１３の互いに重なった部分を貫通する第２の貫通孔５９を挿通して、第２の取り付け部５４の分岐部５４ｂに設けられた係合受部（本実施の形態では、係合孔）６０に係合している。
【００９３】
第２の提げ手７１は、把持部となる本体７２と、本体７２の一端に設けられた第３の取り付け部７３と、本体７２の他端に設けられた第４の取り付け部７４とを有する。第３の取り付け部７３及び第４の取り付け部７４は、前記胴部の開口部２ａ付近に取り付けられている。第３の取り付け部７３及び第４の取り付け部７４は、前記胴部の開口部２ａ付近に取り付けられている。第３の取り付け部７３は、本体７２から分岐した２つの分岐部７３ａ，７３ｂを有している。第４の取り付け部７４は、本体７２から分岐した２つの分岐部７４ａ，７４ｂを有している。
【００９４】
第３の取り付け部７３の分岐部７３ａに設けられた係合突起７５が、後面部１２及び左側部１４の互いに重なった部分を貫通する第３の貫通孔７６を挿通して、第３の取り付け部７３の分岐部７３ｂに設けられた係合受部（本実施の形態では、係合孔）７７に係合している。第４の取り付け部７４の分岐部７４ａに設けられた係合突起７８が、後面部１２及び右側部１３の互いに重なった部分を貫通する第２の貫通孔７９を挿通して、第４の取り付け部７４の分岐部７４ｂに設けられた係合受部（本実施の形態では、係合孔）８０に係合している。
【００９５】
第１の提げ手５１の第１の取り付け部５３及び第２の提げ手７１の第３の取り付け部７３における開口部２ａを閉じたときに互いに対向する箇所には、係脱可能に係合する第１の係合部が設けられている。本実施の形態では、この第１の係合部は、第１の提げ手５１の第１の取り付け部５３の分岐部５３ｂに設けられた係合突起６１と、第２の提げ手７１の第３の取り付け部７３の分岐部７３ｂに設けられた係合受け部（本実施の形態では、係合孔）８１とから構成されている。
【００９６】
第１の提げ手５１の第２の取り付け部５４及び第２の提げ手７１の第４の取り付け部７４における開口部２ａを閉じたときに互いに対向する箇所には、係脱可能に係合する第２の係合部が設けられている。本実施の形態では、この第２の係合部は、第１の提げ手の第２の取り付け部５４の分岐部５４ｂに設けられた係合受け部（本実施の形態では、係合孔）６２と、第２の提げ手７１の第４の取り付け部７４の分岐部７４ｂに設けられた係合突起８２とから構成されている。
【００９７】
図１２乃至図１４に示すように、前記第１の係合部（係合突起６１及び係合受け部８１）を係合させるとともに、前記第２の係合部（係合受け部６２及び係合突起８２を係合させることにより、前記胴部の開口部２ａが閉じられる。図１５乃至図１７に示すように、前記第１の係合部（係合突起６１及び係合受け部８１）の係合を外すとともに、前記第２の係合部（係合受け部６２及び係合突起８２）の係合を外すことにより、前記胴部の開口部２ａが開かれる。本実施の形態では、前記第１及び第２の係合部が、角底袋２の開口部２ａを開口可能に閉じる手段を構成している。
【００９８】
第１の提げ手５１及び第２の提げ手７１としては、例えば、「ハッピータッグ」又は「ハッピータック」と称する市販品を用いることができる。
【００９９】
本実施の形態によっても、前記第１の実施の形態と同様の利点が得られる。
【０１００】
［第３の実施の形態］
【０１０１】
図１８は、本発明の第３の実施の形態による袋体９１の、開口部２ａが中程度開口した状態を示す概略斜視図であり、図１に対応している。図１９は、図１８に示す袋体９１の、開口部２ａが閉じた状態を示す斜め上方かつ左側部１４の側から見た全体概略斜視図であり、図５に対応している。図１８及び図１９において、図１及び図５中の要素と同一又は対応する要素には同一符号を付し、その重複する説明は省略する。
【０１０２】
本実施の形態による袋体９１が前記第１の実施の形態による袋体１と異なる所は、主に、紐３及び連結具４が取り除かれ、その代わりに、前面部１１及び後面部１２が、右側部１３及び左側部１４よりも角底部１５から開口部２ａへ向かう方向に延在している。そして、前面部１１の前記方向への延在部分１１Ａ及び後面部１２の前記方向への延在部分１２Ａには、互いに重なった延在部分１１Ａ，１２Ａを貫通しかつ１本以上の手指２００の手指の差し入れが可能な２つの貫通孔が形成されている。前記２つの貫通孔のうちの１つは、延在部分１１Ａの孔１１Ａａとこれに重なる延在部分１２Ａの孔１２Ａａとから構成され、前記２つの貫通孔のうちの他の１つは、延在部分１１Ａの孔１１Ａｂとこれに重なる延在部分１２Ａの孔１２Ａｂとから構成されている。前記貫通孔の数は１つ以上であればよい。
【０１０３】
本実施の形態によっても、前記第１の実施の形態と同様の利点が得られる。
【０１０４】
また、本実施の形態によれば、前記貫通孔に手指を差し入れることができるので、持ち運び等に便利となる。また、図１９に示すように、前記貫通孔に手指２００を差し入れて持つだけで、持ち運ぶ際に角底袋２の開口部２ａを簡単に閉じることができる。
【０１０５】
以上、本発明の各実施の形態について説明したが、本発明はこれらの実施の形態に限定されるものではない。
【符号の説明】
【０１０６】
１，４１，９１  袋体
２  角底袋
３  紐
４  連結具
１１  前面部
１２  後面部
１３  右側部
１４  左側部
【図１】
2018002282.tif 000003
【図２】
2018002282.tif 000004
【図３】
2018002282.tif 000005
【図４】
2018002282.tif 000006
【図５】
2018002282.tif 000007
【図６】
2018002282.tif 000008
【図７】
2018002282.tif 000009
【図８】
2018002282.tif 000010
【図９】
2018002282.tif 000011
【図１０】
2018002282.tif 000012
【図１１】
2018002282.tif 000013
【図１２】
2018002282.tif 000014
【図１３】
2018002282.tif 000015
【図１４】
2018002282.tif 000016
【図１５】
2018002282.tif 000017
【図１６】
2018002282.tif 000018
【図１７】
2018002282.tif 000019
【図１８】
2018002282.tif 000020
【図１９】
2018002282.tif 000021